(57)【要約】【課題】  太陽電池の汚れとは別に、太陽電池の劣化や故障を判定することを可能とする判定装置を提供する。【解決手段】  判定装置３００は、取得部３１０と、判定部３２０とを備える。取得部３１０は、太陽電池１０の洗浄前において、特性値として洗浄前特性値を取得し、太陽電池１０の洗浄後において、特性値として洗浄後特性値を取得する。判定部３２０は、洗浄前特性値と洗浄後特性値との差異に基づいて、太陽電池１０の状態を判定する。特性値は、太陽電池１０の出力電圧値及び太陽電池１０の出力電流値のうち、少なくとも１つを含む。【選択図】  図３
2012204621.tif 000002
【特許請求の範囲】
【請求項１】
太陽電池の出力を特定するための特性値を取得する取得部と、
前記太陽電池の状態を判定する判定部とを備え、
前記取得部は、前記太陽電池の洗浄前において、前記特性値として洗浄前特性値を取得し、
前記取得部は、前記太陽電池の洗浄後において、前記特性値として洗浄後特性値を取得し、
前記判定部は、前記洗浄前特性値と前記洗浄後特性値との差異に基づいて、前記太陽電池の状態を判定し、
前記特性値は、前記太陽電池の出力電圧値及び前記太陽電池の出力電流値のうち、少なくとも１つを含むことを特徴とする判定装置。
【請求項２】
前記取得部は、前記太陽電池を洗浄してから所定時間が経過した場合に、前記洗浄後特性値を取得することを特徴とする請求項１に記載の判定装置。
【請求項３】
前記取得部は、前記太陽電池を洗浄した後において、前記太陽電池の温度が所定温度に戻った場合に、前記洗浄後特性値を取得することを特徴とする請求項１に記載の判定装置。
【請求項４】
前記特性値は、日射量及び気温のうち、少なくとも１つを含むことを特徴とする請求項１に記載の判定装置。
【発明の詳細な説明】
【技術分野】
【０００１】
本発明は、太陽電池の汚れ、或いは、劣化や故障等の状態を判定する判定装置に関する。
【背景技術】
【０００２】
従来、太陽電池の発電量の向上を目的として、太陽電池の受光面を自動的に洗浄する技術が提案されている（例えば、特許文献１）。
【０００３】
また、複数の太陽電池の発電量を比較することによって、太陽電池の劣化、或いは、断線等による故障を検出する技術が提案されている（例えば、特許文献２）。
【先行技術文献】
【特許文献】
【０００４】
【特許文献１】特開２００７−１１００３８号公報
【特許文献１】特開平８−３１７６７５号公報
【発明の概要】
【発明が解決しようとする課題】
【０００５】
しかしながら、上述した技術では、太陽電池の汚れ及び太陽電池の劣化や故障を見分けることができなかった。
【０００６】
そこで、本発明は、上述した課題を解決するためになされたものであり、太陽電池の汚れとは別に、太陽電池の劣化や故障を判定することを可能とする判定装置を提供することを目的とする。
【課題を解決するための手段】
【０００７】
第１の特徴に係る判定装置（判定装置３００）は、太陽電池の出力を特定するための特性値を取得する取得部（取得部３１０）と、前記太陽電池の状態を判定する判定部（判定部３２０）とを備える。前記取得部は、前記太陽電池の洗浄前において、前記特性値として洗浄前特性値を取得する。前記取得部は、前記太陽電池の洗浄後において、前記特性値として洗浄後特性値を取得する。前記判定部は、前記洗浄前特性値と前記洗浄後特性値との差異に基づいて、前記太陽電池の状態を判定する。前記特性値は、前記太陽電池の出力電圧値及び前記太陽電池の出力電流値のうち、少なくとも１つを含む。
【０００８】
第１の特徴において、前記取得部は、前記太陽電池を洗浄してから所定時間が経過した場合に、前記洗浄後特性値を取得する。
【０００９】
第１の特徴において、前記取得部は、前記太陽電池を洗浄した後において、前記太陽電池の温度が所定温度に戻った場合に、前記洗浄後特性値を取得する。
【００１０】
第１の特徴において、前記特性値は、日射量及び気温のうち、少なくとも１つを含む。
【発明の効果】
【００１１】
本発明によれば、太陽電池の汚れとは別に、太陽電池の劣化や故障を判定することを可能とする判定装置を提供することができる。
【図面の簡単な説明】
【００１２】
【図１】図１は、第１実施形態に係る電力管理システム１００の概略を示す図である。
【図２】図２は、第１実施形態に係る電力管理システム１００の詳細を示す図である。
【図３】図３は、第１実施形態に係る判定装置３００を示す図である。
【図４】図４は、第１実施形態に係る判定装置３００の動作を示すフロー図である。
【発明を実施するための形態】
【００１３】
以下において、本発明の実施形態に係る判定装置について、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
［実施形態の概要］
実施形態に係る判定装置は、太陽電池の出力を特定するための特性値を取得する取得部と、太陽電池の状態を判定する判定部とを備える。取得部は、太陽電池の洗浄前において、特性値として洗浄前特性値を取得する。取得部は、太陽電池の洗浄後において、特性値として洗浄後特性値を取得する。判定部は、洗浄前特性値と洗浄後特性値との差異に基づいて、太陽電池の状態を判定する。特性値は、太陽電池の出力電圧値及び太陽電池の出力電流値のうち、少なくとも１つを含む。
【００１６】
実施形態では、判定部は、洗浄前特性値と洗浄後特性値との差異に基づいて、太陽電池の状態を判定する。なお、本発明における「状態の判定」は、太陽電池の発電量が汚れによって落ちたのか、劣化や故障によって（すなわち、修理・交換が必要な状況によって）落ちたのかの原因を判定することを意味するものである。
【００１７】
［第１実施形態］
（電力管理システムの概略）
以下において、第１実施形態に係る電力管理システムの概略について、図面を参照しながら説明する。図１は、第１実施形態に係る電力管理システム１００を示す図である。
【００１８】
図１に示すように、電力管理システム１００は、複数の太陽電池１０と、測定器類２０と、変換部３０と、複数の接続箱４０と、複数のＰＣＳ５０と、ＡＣ集電盤６０と、分離装置７０と、計測処理装置８０と、通信網１１０と、サーバ１２０とを有する。
【００１９】
複数の太陽電池１０（図１では、ＰＶ）は、第１グループに属する太陽電池群１０１（太陽電池１０Ａ１〜太陽電池１０Ｘ１）と、第２グループに属する太陽電池群１０２（太陽電池１０Ａ２〜太陽電池１０Ｘ２）と、…第ｎグループに属する太陽電池群１０ｎ（太陽電池１０Ａｎ〜太陽電池１０Ｘｎ）とを有する。
【００２０】
測定器類２０は、太陽電池１０の発電環境を測定するセンサなどである。測定器類２０は、太陽電池１０の近傍に設けられており、例えば、日射計２０Ａと、気温計２０Ｂと、熱電対２０Ｃとを含む。日射計２０Ａは、太陽電池１０に照射される日射量を測定する。気温計２０Ｂは、太陽電池１０の近傍の気温を測定する。熱電対２０Ｃは、太陽電池１０の温度（以下、パネル温度）を測定する。
【００２１】
なお、測定器類２０は、日射計２０Ａ、気温計２０Ｂ及び熱電対２０Ｃのいずれか一つであってもよい。或いは、測定器類２０は、日射計２０Ａ、気温計２０Ｂ及び熱電対２０Ｃ以外の測定器であってもよい。
【００２２】
なお、測定器類２０の電源として、太陽電池１０が利用される。図１に示すケースでは、測定器類２０の電源として、太陽電池群１０１が利用される。
【００２３】
変換部３０は、測定器類２０で測定された情報を変換する。具体的には、変換部３０は、測定器類２０から出力されるアナログ信号をサンプリングして、アナログ信号をデジタル信号に変換する。
【００２４】
第１実施形態では、変換部３０は、接続箱４０１に接続されており、測定器類２０で測定された情報を接続箱４０１に出力する。
【００２５】
複数の接続箱４０のそれぞれは、太陽電池１０のグループのそれぞれに対応している。具体的には、複数の接続箱４０は、太陽電池群１０１に対応する接続箱４０１と、太陽電池群１０２に対応する接続箱４０２と、…太陽電池群１０ｎに対応する接続箱４０ｎとを有する。
【００２６】
各接続箱４０に収容される回路群は、接続箱４０に接続されている複数の太陽電池１０から延びる電力線を集線する。また、各接続箱４０に収容される回路群は、接続箱４０に接続されている複数の太陽電池１０の出力（出力電圧や出力電流）を個別に検出する。
【００２７】
複数の接続箱４０は、無線或いは有線で互いに接続される。各接続箱４０に収容される回路群で検出された太陽電池１０の出力（出力電圧や出力電流）は、複数の接続箱４０に収容される回路群の間で互いに交換される。
【００２８】
第１実施形態では、接続箱４０１に収容される回路群は、上述したように、変換部３０に接続されており、測定器類２０で測定された情報を変換部３０から取得する。また、接続箱４０１に収容される回路群は、無線或いは有線で計測処理装置に接続されており、測定器類２０で測定された情報を計測処理装置８０に送信する。第１実施形態では、接続箱４０１と計測処理装置８０との間の通信は、電力線を利用するＰＬＣ（Ｐｏｗｅｒ  Ｌｉｎｅ  Ｃｏｍｍｕｎｉｃａｔｉｏｎｓ）によって行われる。
【００２９】
なお、接続箱４０に収容される回路群の詳細については後述する（図２を参照）。
【００３０】
ここで、太陽電池１０、測定器類２０、変換部３０及び接続箱４０は、例えば、屋外に設けられることに留意すべきである。
【００３１】
複数のＰＣＳ５０のそれぞれは、複数の接続箱４０のそれぞれに対応している。具体的には、複数のＰＣＳ５０は、接続箱４０１に対応するＰＣＳ５０１と、接続箱４０２に対応するＰＣＳ５０２と、…接続箱４０ｎに対応するＰＣＳ５０ｎとを有する。
【００３２】
各ＰＣＳ５０は、直流電力を交流電力に変換する装置（Ｐｏｗｅｒ  Ｃｏｎｄｉｔｉｏｎｉｎｇ  Ｓｙｓｔｅｍ）である。具体的には、ＰＣＳ５０は、太陽電池１０から供給される直流電力を交流電力に変換して、交流電力を電力系統側に供給する。
【００３３】
なお、ＰＣＳ５０は、交流電力を直流電力に変換する機能を有していてもよい。例えば、ＰＣＳ５０は、電力系統側から供給される交流電力を直流電流に変換して、直流電力を蓄電池（不図示）に供給してもよい。
【００３４】
ＡＣ集電盤６０は、複数のＰＣＳ５０から延びる電力線を集線する。ＡＣ集電盤６０は、複数のＰＣＳ５０によって変換された交流電力を電力系統側に供給する。
【００３５】
分離装置７０は、電力線を流れる電流に重畳された信号を分離する。分離装置７０は、無線或いは有線で計測処理装置８０と接続される。分離装置７０は、電力線を流れる電流から分離された信号を計測処理装置８０に送信する。
【００３６】
第１実施形態では、分離装置７０は、接続箱４０１及びＰＣＳ５０１と電力線を介して接続される。分離装置７０は、接続箱４０１によって電流に重畳された信号（すなわち、測定器類２０で測定された情報）を分離する。
【００３７】
計測処理装置８０は、分離装置７０からの信号およびＰＣＳ５０からの信号を受け取る装置であり、例えば、通信網１１０を介してサーバ１２０に対して、測定器類２０で測定された情報を送信する。なお、計測処理装置８０は、複数のＰＣＳ５０を含んでいてもよい。或いは、計測処理装置８０は、複数のＰＣＳ５０及びＡＣ集電盤６０を含んでいてもよい。なお、計測処理装置８０を複数の太陽電池１０と電力系統との間の連系を制御する装置（Ｅｎｅｒｇｙ  Ｍａｎａｇｅｍｅｎｔ  Ｓｙｓｔｅｍ）とし、屋内の負荷にも接続されて、接続された負荷を制御するようにしてもよい。
【００３８】
ここで、ＰＣＳ５０、ＡＣ集電盤６０、分離装置７０及び計測処理装置８０は、例えば、屋内に設けられることに留意すべきである。
【００３９】
通信網１１０は、例えば、インターネットなどのネットワークである。サーバ１２０は、例えば、各施設に設けられた太陽電池の発電量を予測する機能を有する。或いは、サーバ１２０は、各施設に設けられた太陽電池から出力される電力量（逆潮流量）を制御する。
【００４０】
（電力管理システムの詳細）
以下において、第１実施形態に係る電力管理システムの詳細について、図面を参照しながら説明する。図２は、第１実施形態に係る電力管理システム１００の詳細を示す図である。なお、図２では、上述したＰＣＳ５０について主として説明する。また、説明を明確化するために、図２では、上述した一部の構成（変換部３０、ＡＣ集電盤６０、分離装置７０及び計測処理装置８０など）については省略されている。
【００４１】
図２に示すように、電力管理システム１００は、検出部２１０と、ＰＬＣ変調器２２０と、負荷２３０と、電力系統２４０とを有する。
【００４２】
検出部２１０は、太陽電池１０の出力（出力電圧値や出力電流値）を検出する。なお、検出部２１０は、接続箱４０に収容されていてもよい。
【００４３】
ＰＬＣ変調器２２０は、ＰＬＣ（Ｐｏｗｅｒ  Ｌｉｎｅ  Ｃｏｍｍｕｎｉｃａｔｉｏｎｓ）を用いて、電力線を流れる電流に情報を重畳する。具体的には、ＰＬＣ変調器２２０は、検出部２１０によって検出された情報（出力電圧値や出力電流値）、測定器類２０によって測定された情報（日射量、気温、パネル温度）などを変調する。ＰＬＣ変調器２２０は、電力線を流れる電流に対して、変調された情報を重畳する。なお、ＰＬＣ変調器２２０は、接続箱４０に収容されていてもよい。
【００４４】
負荷２３０は、家電などのように、電力を消費する機器である。或いは、負荷２３０は、電力を蓄積する蓄電池であってもよい。
【００４５】
電力系統２４０は、変電所や発電所などの電力系統である。
【００４６】
また、ＰＣＳ５０は、ＰＬＣ復調器５１と、ＤＣ／ＤＣコンバータ５２と、ＤＣ／ＡＣコンバータ５３と、スイッチ５４と、Ｉ／Ｖセンサ５５と、Ｉ／Ｖセンサ５６と、温度センサ５７と、制御部５８とを有する。
【００４７】
ＰＬＣ復調器５１は、ＰＬＣ（Ｐｏｗｅｒ  Ｌｉｎｅ  Ｃｏｍｍｕｎｉｃａｔｉｏｎｓ）を用いて、電力線を流れる電流に情報から分離する。具体的には、ＰＬＣ復調器５１は、電力線を流れる電流から、変調された情報を分離する。ＰＬＣ復調器５１は、変調された情報を復調する。なお、復調された情報は、検出部２１０によって検出された情報（出力電圧や出力電流）、測定器類２０によって測定された情報（日射量、気温、パネル温度）などを含む。
【００４８】
なお、太陽電池１０から供給された電力は、ＤＣ／ＤＣコンバータ５２に出力され、復調された情報は、制御部５８に出力される。
【００４９】
ＤＣ／ＤＣコンバータ５２は、太陽電池１０から供給された電力（直流電力）を変圧する。なお、ＤＣ／ＤＣコンバータ５２は、制御部５８によって制御される。
【００５０】
ＤＣ／ＡＣコンバータ５３は、ＤＣ／ＤＣコンバータ５２で変圧された直流電力を交流電力に変換する。ＤＣ／ＡＣコンバータ５３は、例えば、複数のトランジスタによって構成されるインバータ回路などである。なお、ＤＣ／ＡＣコンバータ５３は、制御部５８によって制御される。
【００５１】
スイッチ５４は、ＰＣＳ５０と電力系統２４０（或いは、負荷２３０）とを接続するか否かを切り替える。なお、スイッチ５４は、制御部５８によって制御される。
【００５２】
Ｉ／Ｖセンサ５５は、ＤＣ／ＤＣコンバータ５２から出力される電流値及び電圧値を検出する。Ｉ／Ｖセンサ５５によって検出された電流値及び電圧値は、制御部５８に出力される。
【００５３】
Ｉ／Ｖセンサ５６は、ＤＣ／ＡＣコンバータ５３から出力される電流値及び電圧値を検出する。Ｉ／Ｖセンサ５６によって検出された電流値及び電圧値は、制御部５８に出力される。
【００５４】
温度センサ５７は、ＰＣＳ５０内の温度（以下、内部温度）を検出する。温度センサ５７によって検出された内部温度は、制御部５８に出力される。
【００５５】
制御部５８は、ＰＣＳ５０を制御する。第１に、制御部５８は、Ｉ／Ｖセンサ５５によって検出された電流値及び電圧値をフィードバック情報として、フィードバック情報及び内部温度に基づいて、ＤＣ／ＤＣコンバータ５２を制御する。第２に、制御部５８は、Ｉ／Ｖセンサ５６によって検出された電流値及び電圧値をフィードバック情報として、フィードバック情報及び内部温度に基づいて、ＤＣ／ＡＣコンバータ５３を制御する。第３に、制御部５８は、Ｉ／Ｖセンサ５６によって検出された電流値及び電圧値に基づいて、スイッチ５４を制御する。或いは、制御部５８は、他の装置から受信する情報に基づいて、スイッチ５４を制御する。
【００５６】
（判定装置の構成）
以下において、第１実施形態に係る判定装置の構成について、図面を参照しながら説明する。図３は、第１実施形態に係る判定装置３００を示すブロック図である。なお、判定装置３００は、例えば、上述したＰＣＳ５０（制御部５８）に設けられる。或いは、判定装置３００は、計測処理装置８０に設けられていてもよい。或いは、判定装置３００は、接続箱４０に収容されてもよい。
【００５７】
図３に示すように、判定装置３００は、取得部３１０と、判定部３２０とを有する。
【００５８】
取得部３１０は、太陽電池１０の出力を特定するための特性値を取得する。具体的には、取得部３１０は、太陽電池１０の洗浄前において、特性値として洗浄前特性値を取得する。取得部３１０は、太陽電池１０の洗浄後において、特性値として洗浄後特性値を取得する。
【００５９】
詳細には、取得部３１０は、太陽電池１０を洗浄してから所定時間が経過した場合に、洗浄後特性値を取得することが好ましい。或いは、取得部３１０は、太陽電池１０を洗浄した後において、太陽電池１０の温度が所定温度（例えば、洗浄前の太陽電池１０の温度±所定値）に戻った場合に、洗浄後特性値を取得することが好ましい。
【００６０】
ここで、特性値は、例えば、太陽電池１０の出力電圧値及び太陽電池１０の出力電流値のうち、少なくとも１つを含む。なお、太陽電池１０の出力電圧値及び太陽電池１０の出力電流値は、例えば、上述した検出部２１０によって検出される。
【００６１】
言い換えると、洗浄前特性値は、洗浄前電圧値及び洗浄前電流値のうち、少なくとも１を含む。洗浄後特性値は、洗浄後電圧値及び洗浄後電流値のうち、少なくとも１を含む。
【００６２】
また、特性値は、日射量、気温及びパネル温度のうち、少なくとも１つをさらに含んでもよい。日射量、気温及び太陽電池１０の温度は、例えば、上述した測定器類２０によって測定される。
【００６３】
言い換えると、洗浄前特性値は、洗浄前日射量、洗浄前気温及び洗浄前パネル温度のうち、少なくとも１つを含む。洗浄後特性値は、洗浄後日射量、洗浄後気温及び洗浄後パネル温度のうち、少なくとも１つを含む。
【００６４】
判定部３２０は、太陽電池１０の状態を判定する。具体的には、判定部３２０は、洗浄前特性値と洗浄後特性値との差に基づいて、太陽電池１０の状態を判定する。これによって、判定部３２０は、太陽電池１０の汚れとは別に、太陽電池１０の劣化や故障を判定する。
【００６５】
詳細には、判定部３２０は、所定条件が満たされている場合（或いは、満たされていない場合）に、太陽電池１０が劣化や故障のような交換・修理が必要な状態であると判定する。なお、判定部３２０は、所定条件が満たされていない場合（或いは、満たされている場合）に、太陽電池１０が汚れていたと判定する。
【００６６】
例えば、所定条件は、洗浄前電圧値と洗浄後電圧値との差が所定範囲内であることである。或いは、所定条件は、洗浄前電流値と洗浄後電流値との差が所定範囲内であることである。或いは、所定条件は、洗浄前電圧値と洗浄後電圧値との差及び洗浄前電流値と洗浄後電流値との差の双方が所定範囲内であることである。なお、以下においては、これらの所定条件をまとめて所定条件（１）と称する。
【００６７】
また、例えば、所定条件は、洗浄前日射量と洗浄後日射量との差が所定範囲内である場合に、所定条件（１）が満たされていることであってもよい。或いは、所定条件は、洗浄前気温と洗浄後気温との差が所定範囲内である場合に、所定条件（１）が満たされていることであってもよい。或いは、所定条件は、洗浄前パネル温度と洗浄後パネル温度との差が所定範囲内である場合に、所定条件（１）が満たされていることであってもよい。
【００６８】
また、判定部３２０は、洗浄前日射量と洗浄後日射量との差が所定範囲内である場合に、洗浄後電圧値（或いは、洗浄後電流値）が洗浄前電圧値（或いは、洗浄前電流値）よりも上昇した場合に、太陽電池１０が汚れていたと判定してもよい。同様に、判定部３２０は、洗浄前気温と洗浄後気温との差が所定範囲内である場合に、洗浄後電圧値（或いは、洗浄後電流値）が洗浄前電圧値（或いは、洗浄前電流値）よりも上昇した場合に、太陽電池１０が汚れていたと判定してもよい。判定部３２０は、洗浄前パネル温度と洗浄後パネル温度との差異が所定範囲内である場合に、洗浄後電圧値（或いは、洗浄後電流値）が洗浄前電圧値（或いは、洗浄前電流値）よりも上昇した場合に、太陽電池１０が汚れていたと判定してもよい。
【００６９】
さらに、判定部３２０は、洗浄前日射量と洗浄後日射量との差に応じて、洗浄前電圧値（或いは、洗浄前電流値）と比べて、洗浄後電圧値（或いは、洗浄後電流値）が変化している場合には、太陽電池１０の劣化や故障及び太陽電池１０の汚れのいずれも発生していないと判定してもよい。同様に、判定部３２０は、洗浄前気温と洗浄後気温との差に応じて、洗浄前電圧値（或いは、洗浄前電流値）と比べて、洗浄後電圧値（或いは、洗浄後電流値）が変化している場合には、太陽電池１０の劣化や故障及び太陽電池１０の汚れのいずれも発生していないと判定してもよい。判定部３２０は、洗浄前パネル温度と洗浄後パネル温度との差に応じて、洗浄前電圧値（或いは、洗浄前電流値）と比べて、洗浄後電圧値（或いは、洗浄後電流値）が変化している場合には、太陽電池１０の劣化や故障及び太陽電池１０の汚れのいずれも発生していないと判定してもよい。
【００７０】
なお、洗浄前特性値及び洗浄後特性値として用いるパラメータ数が多いほど、太陽電池１０の状態の判定精度が向上することに留意すべきである。
【００７１】
（判定装置の構成）
以下において、第１実施形態に係る判定装置の動作について、図面を参照しながら説明する。図４は、第１実施形態に係る判定装置３００の動作を示すフロー図である。
【００７２】
なお、図４に示すフローは、太陽電池１０の出力が所望の出力よりも低下した際に実行されることに留意すべきである。所望の出力は、日射量、気温又はパネル温度に基づいて決定される。
【００７３】
図４に示すように、ステップ１０において、判定装置３００は、太陽電池１０の洗浄前において、特性値として洗浄前特性値を取得する。
【００７４】
ステップ２０において、太陽電池１０の洗浄が行われる。なお、太陽電池１０の洗浄は、作業員が行ってもよく、スプリンクラーなどの洗浄装置によって自動的に行われてもよい。
【００７５】
ステップ３０において、判定装置３００は、太陽電池１０の洗浄が行われてから所定時間が経過するまで待機した後、特性値として洗浄後特性値を取得する。
【００７６】
ステップ４０において、判定装置３００は、取得した洗浄前特性値と洗浄後特性値とを比較する。
【００７７】
ステップ５０において、判定装置３００は、所定条件が満たされているか否かを判定する。判定装置３００は、所定条件が満たされている場合に、ステップ６０の処理に移る。判定装置３００は、所定条件が満たされていない場合に、ステップ７０の処理に移る。
【００７８】
なお、本所定条件が満たすか否かの判断は上述した通りであり、例えば、洗浄後電流値が洗浄前電流値よりも所定値以上上昇しない場合を所定条件が満たされているとするようにすればよい。このように、洗浄によって電流値が所定値以上上昇する場合には（すなわち、所定条件が満たされていない場合には）、汚れを除去できたことにより上昇したと判定し、所定値以上上昇しない場合には（すなわち、所定条件が満たされている場合には）、汚れを除去しても改善出来ないことから劣化や故障であると判定するようにできる。
【００７９】
ステップ６０において、判定装置３００は、太陽電池１０が劣化や故障であると判定する。
【００８０】
ステップ７０において、判定装置３００は、太陽電池１０の汚れが発生していたと判定する。
【００８１】
（作用及び効果）
第１実施形態では、判定装置３００は、洗浄前特性値と洗浄後特性値との差異に基づいて、太陽電池１０の状態を判定する。従って、太陽電池１０の汚れとは別に、太陽電池１０の劣化や故障を判定することができる。
【００８２】
第１実施形態では、判定装置３００は、太陽電池１０を洗浄してから所定時間が経過した場合に、洗浄後特性値を取得する。すなわち、太陽電池１０の洗浄に伴う影響が無くなってから、洗浄後特性値を取得するため、太陽電池１０の状態の判定精度が向上する。
【００８３】
第１実施形態では、判定装置３００は、太陽電池１０を洗浄した後において、太陽電池１０の温度が所定温度（例えば、洗浄前の太陽電池１０の温度±所定値）に戻った場合に、洗浄後特性値を取得する。すなわち、太陽電池１０の洗浄に伴う影響が無くなってから、洗浄後特性値を取得するため、太陽電池１０の状態の判定精度が向上する。
【００８４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８５】
実施形態では、測定器類２０によって測定された情報や検出部２１０によって検出された情報がＰＬＣによって伝達されるケースについて例示した。しかしながら、実施形態は、これに限定されるものではない。例えば、これらの情報は、無線或いは有線で伝達されてもよい。
【００８６】
実施形態では、判定装置３００がＰＣＳ５０（制御部５８）に設けられるケースについて主として例示した。しかしながら、実施形態は、これに限定されるものではない。上述したように、判定装置３００は、例えば、計測処理装置８０に設けられていてもよく、接続箱４０に収容されてもよい。
【００８７】
また、実施形態により、太陽電池の劣化や故障の判定が出来るが、特に、劣化を判定することが出来ることにより、太陽電池１０がいきなりエラー・故障となる前に劣化が発生した時点で把握することができるようになるため、予防的なメンテナンスの役割を担うことができる。なお、どの程度事前に把握することができるかは、上述の所定条件の設定次第となる。
【００８８】
さらに、温度センサ５７によりＰＣＳ５０の内部の温度を継続的に取得することにより、系統電圧上昇抑制のためではなくＰＣＳ５０内部の温度が上昇して温度上昇抑制が働く頻度を監視することができ、その結果によってＰＣＳ５０の冷却ファン（不図示）の劣化やファンフィルター（不図示）の目詰まりと判断して交換時期を把握することができるようになり、これによって予防的なメンテナンスをより強化することができるようになる。
【符号の説明】
【００８９】
１０…太陽電池、２０…測定器類、３０…変換部、４０…接続箱、４１…ＤＣ／ＤＣコンバータ、４２…制御部、４３…通信機類、４４…蓄電池、４５…メモリ、５０…ＰＣＳ、５１…ＰＬＣ復調器、５２…ＤＣ／ＤＣコンバータ、５３…ＤＣ／ＡＣコンバータ、５４…スイッチ、５５…Ｉ／Ｖセンサ、５６…Ｉ／Ｖセンサ、５７…温度センサ、５８…制御部、６０…ＡＣ集電盤、７０…分離装置、８０…計測処理装置、１００…電力管理システム、１１０…通信網、１２０…サーバ、２１０…センサ、２２０…ＰＬＣ変調器、２３０…負荷、２４０…電力系統、３００…判定装置、３１０…取得部、３２０…判定部
【図１】
2012204621.tif 000003
【図２】
2012204621.tif 000004
【図３】
2012204621.tif 000005
【図４】
2012204621.tif 000006